(57)【要約】【課題】小型電気機器の充電時に使用して便利なる充電補助体を提供する。【解決手段】開閉板を有する中空のケースを設け、該開閉板適所に窓部と該窓部に連続する上部切除部を連設し、開閉板適所に下部切除部を連設し、開閉板の窓部近傍表面に引っ掛け部を突設したことを特徴とする。【選択図】図８
2008048582.tif 000002
【特許請求の範囲】
【請求項１】
開閉板を有する中空のケースを設け、該開閉板適所に窓部を設け、開閉板適所に下部切除部を連設し、開閉板の窓部近傍に引っ掛け部を突設したことを特徴とする小型電気機器用充電補助体。
【請求項２】
開閉板を有する中空のケースを設け、該開閉板適所に窓部と該窓部に連続する上部切除部を連設し、開閉板適所に下部切除部を連設し、開閉板の窓部近傍表面に引っ掛け部を突設したことを特徴とする小型電気機器用充電補助体。
【請求項３】
開閉板裏面に複数個の巻回棒を植設してなる請求項１または２記載の小型電気機器用充電補助体。
【請求項４】
各切除部裏面に、円形孔および該孔に連続するスリットを有する弾性シートを取り付けてなる請求項１〜３のいずれかの項に記載の小型電気機器用充電補助体。
【請求項５】
開閉板表面下部に、上部開放の機器収納部を設けてなる請求項１〜４のいずれかの項に記載の小型電気機器用充電補助体。
【発明の詳細な説明】
【技術分野】
【０００１】  この発明は、携帯電話、デジタルカメラ、電気カミソリその他の小型電気機器を充電する際に使用して便利なる、小型電気機器用の充電補助体に関する。
【背景技術】
【０００２】  従来より、上述のような機器は内部バッテリーを有し、必要に応じて充電して用いるが、この充電時に使用して便利なる充電補助体は現在のところ見当たらない。
【発明の開示】
【発明が解決しようとする課題】
【０００３】  従来の充電方法は、充電しようとする機器に付属のコードの一端をその機器の該当個所に差し込み、コードの他方に位置するプラグをコンセントもしくはコンセントに接続されたテーブルタップ等に差し込んで行うのが一般的である。しかしこれには以下のような問題がある。
すなわち、充電コードはある程度の長さを有していることが多く、このコードが机上や床上に位置することで、邪魔になりがちで時にはこのコードに手や足が引っかかる場合がある。また、複数の機器を充電するときは充電コードが絡みやすく、コンセントに対してはいわゆる蛸足配線となる。充電中かどうかはプラグやソケットの差し込み状態を確認しなければならず、一目で充電状態の把握ができない。コンセントやテーブルタップの差し込み口が充電時に占有され、他の電気機器を使用するにはプラグを外さなければならない。また、従来手段ではコードが露出しているのでホコリがつきやすく不衛生である。
本発明は、以上のような従来からの充電時の問題を解決するために発明されたもので、コードが露出せずにスッキリと収納でき、かつ複数の機器の同時充電が可能であるとともに、充電時の把握も容易なる新規かつ有用なる小型電気機器用の充電補助体を提供することを目的として開発されたものである。
【課題を解決するための手段】
【０００４】  課題を解決する手段として本発明は、以下の構成とした。
すなわち、開閉板を有する中空のケースを設け、該開閉板適所に窓部を設け、開閉板適所に下部切除部を連設し、開閉板の窓部近傍に引っ掛け部を突設する。本発明は以上の構成よりなる小型電気機器用充電補助体である。
なお、後述のように、弾性シートや巻回棒そして機器収納部を付加した構成としてもよい。
【発明の効果】
【０００５】  本発明は下記の効果を有する。
１．複数の小型電気機器の同時充電が可能であるとともに、コンセントの占有を排除でき  る。
２．充電しようとする電気機器に付属するコードをケース内に整理して収納でき、コード  を衛生的に保ち、かつ従来手段にありがちなコードの人体への引っ掛けを皆無とするこ  とができる。
３．市販のスイッチつき機能タップとの併用にて、ランプ点灯による充電中状態の把握が  容易である。
４．室内の特定個所による充電のため、コンパクトに使用できる。
【発明を実施するための最良の形態】
【０００６】  以下、本発明の実施形態について説明する。
図において、１は後板で、四角形の木製板体であり、その片面に、等幅の細長木片を互いに固着した正面視コ字形の枠板２が固着されている。３は開閉板としての前板で、後板と同サイズの木板である。枠板適所は段部による凹部を有し、この凹部と前板間には蝶番４が位置し、この蝶番にて枠板に対して前板は開閉可能である。また、枠板内面適所には市販の挟持体雌部５が設けられ、前板の対応個所には挟持体雄部６が設けられる。前板の表面には市販の取っ手７が取り付けられる。挟持体雌部には弾力を持って開閉可能なる一対の筒状体が位置し、挟持体雄部には先端を膨大させた突部があり、この突部が筒状体を押し開いて挿入挟持されるよう構成されている。従って、取っ手を持って前板を枠板に押しつけることにより、前板は枠板に挟持され、また取っ手を引くことにてこの挟持が解除されて前板を開くことができる。以上にてケースが構成される。
８は窓部で、前板上部に設けられる略長方形の切除部分であり、その下端に連続して略Ｕ形の４個の切除部が連設されて上部切除部９となる。
１０は上部弾性シートである。この上部弾性シートは窓部と近似サイズの長方形薄ゴム板であり、その上縁を窓部下縁に一致させて前板裏面に固着される。また、この上部弾性シートには円形孔１１が上部切除部と同配置にて穿設されるとともに、この円形孔の上部からシート上縁に至る切り込みによるスリット１２が形成される。
１３は前板下部に連設される下部切除部で、上部切除部と類似形状である。１４は下部弾性シートで、上部弾性シートと同様に円形孔１５とスリット１６を有する小四角形の薄ゴム板であり、スリットを下向きにして各下部切除部を覆うように前板裏面に固着される。【０００７】  １７は上部巻回棒で、窓部よりやや下方にて前板裏面に等間隔に植設される棒体である。
１８は下部巻回棒で、前板裏面の下部に植設され、上部巻回棒と同一物品である。
この巻回棒は、図４にて示すように、その先端は大径であるが下端は小径であり、下端から先端に向かうにつれて徐々にその外径が大きくなる緩やかな傾斜外径を有している。また、前板裏面から各巻回棒先端までの距離に比べて後板面から枠板端面までの距離は大きく、従って前板閉時にても巻回棒は後板に接触することはない。１９は引っ掛け部で、あらかじめ選定された前板表面位置に突設される一対のビスである。
３０は市販のスイッチつき機能タップで、本発明に付属させて用いるものである。
このスイッチつき機能タップは、その前面に４対のスイッチ３１と差し込み口３２を有し、コードとプラグ（図示略）が一体に設けられている。このスイッチを押すことにより、スイッチ内部のランプが点灯し、その直下の差し込み口に電力が供給され、スイッチ復帰にてランプは消灯して非供給となるものである。また、その裏面には長穴が形成されており、既述の引っ掛け部１９の位置と対応している。【０００８】  本発明の使用に際しては、図８および図１０に示すように、前板にスイッチつき機能タップと充電しようとする小型電気機器に付属のコード端に位置するプラグを位置させる。
順番としては、前板に取り付ける前のスイッチつき機能タップの差し込み口に上記プラグを差し込んでおき、前板を開いてこのスイッチつき機能タップの裏面の長穴を引っ掛け部に引っ掛けて係止させ、プラグに接続されているコードは上部切除部を通して前板裏面に導いて上部巻回棒と下部巻回棒間に巻きつけ、下部切除部から前板表面へ出し、前板を閉じてコードの一端に位置するソケットを電気機器の所定個所に差し込んで準備が完了する。
スイッチつき機能タップのスイッチを投入するとスイッチ内のランプが点灯し、その直下の差し込み口に電流が供給され、コードを介して電気機器に通電されて充電が開始される。充電終了後は電気機器からソケットを抜き、充電後の機器を使用することができる。
また、スイッチ部分は光通過素材にて形成されているので、点灯状態を外部から容易に認識することができる。
なお、本例においては、上部弾性シートおよび下部弾性シートを用いており、コードの位置保持に便利である。つまり、コードをスリットに押し当てるとシートが歪んでコードは円形孔内へと導かれ、外力無しにコードは円形孔から出ることがないので、コードを常に円形孔内に位置させることができる。【０００９】  図１１〜図１２は本発明の他例を示すもので、金属線にて格子状に編み込んだ上部開放の箱体を前板下方に取り付けたもので、ここに充電しようとする電気機器を収納することができるものであり、その他の部分は前例と同様である。
以上、本発明について記したが、既述のようにコードはケース内に巻回して収納されるので、人体への引っ掛けの恐れはなく、衛生的であるとともに室内適所に位置させて使用するので充電位置が定まり、また複数個の充電が可能となるなど、種々の利点を有する充電用の補助体を得ることができる。なお、巻回棒は先端が大径のため、巻回したコードの脱落が防止されるが、本例で用いた形状以外の他の形状の棒体や管体を用いてもよい。
あるいは、巻回棒を装備せずに、コードをケース内に単に位置させる方式を用いることもできる。上下部の切除部は４セットとしたが、必要に応じて増減して構成してもよい。
本例ではケースを木板を用いて構成したが、合成樹脂その他の素材を用いて構成してもよい。また、本例のように後板と枠板および前板によるケース構成以外に、蓋部を有する一体の箱体方式としてもよい。
本品は床上等に置いて用いる以外に、後板にフックやビス穴等を設けて壁面に取り付けて用いてもよい。また、本例にて使用したスイッチつき機能タップに代えてスイッチのない一般のテーブルタップの利用も可能である。この場合、前板裏面に引っ掛け部を設けて取り付けてもよく、この場合は差し込み口は箱体内に位置するので上部切除部は不要である。あるいは、スイッチつき機能タップにおいて、表面にスイッチを裏面に差し込み口を有するものであれば、前板裏面に適宜方式にてこれを取り付けてもよく、上部切除部は不要で窓部からスイッチ投入によるランプ点灯が視認され、コードはケース内に位置するものとなる。なお、以上の場合はテーブルタップ等のコードをケース外に出すための孔や切除部が必要である。以上のごとく、本発明にて充電時に便利なる小型電気機器用の補助体を得ることができる。
【図面の簡単な説明】
【００１０】
【図１】  本発明の平面図
【図２】  本発明の正面図
【図３】  本発明の右側面図
【図４】  本発明の平面図（前板開時）
【図５】  本発明の正面図（前板開時）
【図６】  本発明の正面図（スイッチつき機能タップ装着時）
【図７】  本発明の平面図（スイッチつき機能タップ装着時）
【図８】  本発明の使用状態説明図（正面視）
【図９】  本発明の使用状態説明図（右側面視）
【図１０】  本発明の使用状態説明図（正面視・前板開時）
【図１１】  本発明の他例の正面図
【図１２】  本発明の他例の右側面図
【符号の説明】
【００１１】  １    後板
２    枠板
３    前板
４    蝶番
５    挟持体雌部
６    挟持体雄部
７    取っ手
８    窓部
９    上部切除部
１０  上部弾性シート
１１  円形孔
１２  スリット
１３  下部切除部
１４  下部弾性シート
１５  円形孔
１６  スリット
１７  上部巻回棒
１８  下部巻回棒
１９  引っ掛け部
２０  機器収納部
３０  スイッチつき機能タップ
３１  スイッチ
３２  差し込み口
４０  充電用プラグ
４１  コード
４２  充電用ソケット
４３  小型電気機器
【図１】
2008048582.tif 000003
【図２】
2008048582.tif 000004
【図３】
2008048582.tif 000005
【図４】
2008048582.tif 000006
【図５】
2008048582.tif 000007
【図６】
2008048582.tif 000008
【図７】
2008048582.tif 000009
【図８】
2008048582.tif 000010
【図９】
2008048582.tif 000011
【図１０】
2008048582.tif 000012
【図１１】
2008048582.tif 000013
【図１２】
2008048582.tif 000014